(57)【要約】【課題】配光制御ができる角度のバリエーションを多くすることができ、また、集光の効率を高くすることができる照明装置を提供する。【解決手段】発光素子が配置された基板と、発光素子の光を小さな配光角の光として出射する複数の第１光学素子を備える第１光学部と、複数の第１光学素子が出射する光を小さな配光角の光として出射する複数の第２光学素子を備える第２光学部とを備え、複数の第１光学素子と第２光学素子は、同じ配光特性を有する複数の組に分けることができ、発光素子が出射する光は同じ配光特性を有する組の第１光学素子に受光され、第１光学素子が出射する光は同じ配光特性を有する組の第２光学素子に受光され、第２光学部が第１光学部に対して移動し、発光素子が出射する光を受光する第１光学素子の配光特性と第１光学素子が出射する光を受光する第２光学素子の配光特性との組み合わせを選択可能な照明装置を提供する。【選択図】図２
2014110177.tif 000002
【特許請求の範囲】
【請求項１】
発光素子が配置された基板と、
前記発光素子が出射する光を受光し前記発光素子が出射する光の配光角以下の配光角の光として出射する、配光特性をそれぞれ持つ複数の第１光学素子を備える第１光学部と、
前記複数の第１光学素子が出射する光を受光し前記複数の第１光学素子が出射する光の配光角以上の配光角の光として出射する、配光特性をそれぞれ持つ複数の第２光学素子を備える第２光学部と
を備え、
前記複数の第１光学素子は、同じ配光特性を有する複数の組に分けることができ、前記発光素子が出射する光は同じ配光特性を有する組の第１光学素子に受光され、
前記複数の第２光学素子は、同じ配光特性を有する複数の組に分けることができ、前記第１光学素子が出射する光は同じ配光特性を有する組の第２光学素子に受光され、
前記第２光学部が前記第１光学部に対して相対的に移動し、前記発光素子が出射する光を受光する第１光学素子の配光特性と前記第１光学素子が出射する光を受光する第２光学素子の配光特性との組み合わせを選択可能な照明装置。
【請求項２】
前記第１光学部が前記基板に対して相対的に移動し、前記発光素子が出射する光を受光する同じ配光特性を有する前記第１光学素子の組を選択可能な請求項１に記載の照明装置。
【請求項３】
前記複数の第１光学素子それぞれは、前記発光素子を覆い前記発光素子が出射する光を受光する凹部を有し、前記発光素子が出射する光を受光する同じ配光特性を有する前記第１光学素子の組を選択するときに前記第１光学部が前記基板から離れて前記複数の第１光学素子が前記基板に対して平行に移動可能となる請求項２に記載の照明装置。
【請求項４】
前記第１光学素子は前記凹部が前記光学素子と干渉しない状態となった後に前記複数の第１光学素子が前記基板に対して平行に移動可能となる請求項３に記載の照明装置。
【請求項５】
前記第１光学部を支持するホルダと前記回転規制部との間に配置される伸縮手段により、前記第１光学素子は前記凹部が前記光学素子と干渉しない状態となる請求項４に記載の照明装置。
【請求項６】
前記第１光学部及び前記第２光学部それぞれは、前記発光素子が出射する光を受光する第１光学素子の配光特性と前記第１光学素子が出射する光を受光する配光特性との組み合わせの選択にかかわらず、配光特性が一定の光学素子を有する請求項１から５のいずれかに記載の照明装置。
【請求項７】
前記発光素子が出射する光を受光する第１光学素子の配光特性と前記第１光学素子が出射する光を受光する配光特性との組み合わせの選択にかかわらず前記配光特性が一定の光学素子の位置が一定となる請求項６に記載の照明装置。
【請求項８】
前記配光特性が一定となる光学素子は、前記照明装置の光軸上に配置される請求項７に記載の照明装置。
【請求項９】
前記配光特性が変化しない光学素子の出射する光の配光角は他の光学素子の出射する配光角の略中間値である請求項８に記載の照明装置。
【請求項１０】
前記第１光学素子は、前記照明装置の光軸の周囲に配置され、前記第１光学素子の光軸が前記照明装置の光軸と交差する請求項１から９のいずれかに記載の照明装置。
【発明の詳細な説明】
【技術分野】
【０００１】
本発明は、照明装置に関する。特に、半導体発光素子を用いる照明装置であって、配光制御が可能な小型照明装置に関する。
【背景技術】
【０００２】
照明装置の光源としてＬＥＤなどの半導体発光素子が用いられるようになってきた。半導体発光素子が光源として用いられることにより、消費電力の削減が可能となり、また、半導体素子による光源は点光源に近く、照明装置の小型化も進められている。
【０００３】
一方、従来のＬＥＤを光源とする照明装置においては配光制御が困難であり、様々な提案が行われている。例えば、特許文献１及び特許文献２においては、配光を制御するための光学素子をＬＥＤが配置された基板と平行に移動させることにより配光制御を実現している。
【先行技術文献】
【特許文献】
【０００４】
【特許文献１】特開２００４−１９９８９１号公報
【特許文献２】特開２０１２−０１４９８０号公報
【発明の概要】
【発明が解決しようとする課題】
【０００５】
しかしながら、特許文献１及び特許文献２などの従来技術においては、配光制御を１種類の光学素子で実現しているので、配光制御ができる角度のバリエーションが少ないという問題がある。また、光学素子の集光の効率が低くなるという問題もある。
【０００６】
そこで、以下においては、配光制御ができる角度のバリエーションを多くすることができ、また、集光の効率を高くすることができる照明装置を提供する。
【課題を解決するための手段】
【０００７】
本発明の一実施形態として、発光素子が配置された基板と、前記発光素子が出射する光を受光し前記発光素子が出射する光の配光角以下の配光角の光として出射する、配光特性をそれぞれ有する複数の第１光学素子を備える第１光学部と、前記複数の第１光学素子が出射する光を受光し前記複数の第１光学素子が出射する光の配光角以上の配光角の光として出射する、配光特性をそれぞれ持つ複数の第２光学素子を備える第２光学部とを備え、前記複数の第１光学素子は、同じ配光特性を有する複数の組に分けることができ、前記発光素子が出射する光は同じ配光特性を有する組の第１光学素子に受光され、前記複数の第２光学素子は、同じ配光特性を有する複数の組に分けることができ、前記第１光学素子が出射する光は同じ配光特性を有する組の第２光学素子に受光され、前記第２光学部が前記第１光学部に対して移動し、前記発光素子が出射する光を受光する第１光学素子の配光特性と前記第１光学素子が出射する光を受光する第２光学素子の配光特性との組み合わせを選択可能な照明装置を提供する。
【０００８】
このような照明装置により、配光制御ができる角度のバリエーションを従来技術よりも多くしつつ、光学素子の集光の効率を高くすることができる。
【０００９】
また、本発明の一実施形態に係る照明装置は、第１光学部が基板に対して相対的に移動し、発光素子が出射する光を受光する同じ配光特性を有する前記第１光学素子の組を選択可能とすることができる。
【００１０】
このような照明装置により、配光制御を容易に行うことが可能となる。
【００１１】
また、本発明の一実施形態に係る照明装置においては、複数の第１光学素子それぞれは、発光素子を覆い発光素子が出射する光を受光する凹部を有し、発光素子が出射する光を受光する同じ配光特性を有する第１光学素子の組を選択するときに前記第１光学部が基板から離れて前記複数の第１光学素子が前記基板に対して平行に移動可能とすることができる。
【００１２】
このような照明装置により、第１光学素子に入射する光の量を多くすることが可能となり、照明装置が発光量を増加させることができる。
【００１３】
また、本発明の一実施形態に係る照明装置においては、第１光学素子は凹部が光学素子と干渉しない状態となった後に複数の第１光学素子が前記基板に対して平行に移動可能とすることができる。  
【００１４】
このような照明装置により、照明装置が発光量を増加させつつ、配光制御を容易に行うことができる。
【００１５】
また、本発明の一実施形態に係る照明装置においては、第１光学部を支持するホルダと前記回転規制部との間に配置される伸縮手段により、前記第１光学素子は前記凹部が前記光学素子と干渉しない状態とすることができる。
【００１６】
このような照明装置により、制御後の配光を維持することができる。
【００１７】
また、本発明の一実施形態に係る照明装置においては、第１光学部及び第２光学部それぞれは、発光素子が出射する光を受光する第１光学素子の配光特性と第１光学素子が出射する光を受光する配光特性との組み合わせの選択にかかわらず、配光特性が一定の光学素子を有することができる。
【００１８】
このような照明装置により、配光が制御されても光が照射される中心を明るく維持することができる。
【００１９】
また、本発明の一実施形態に係る照明装置においては、発光素子が出射する光を受光する第１光学素子の配光特性と第１光学素子が出射する光を受光する配光特性との組み合わせの選択にかかわらず前記配光特性が一定の光学素子の位置が一定とすることができる。
【００２０】
このような照明装置により、配光が制御されても光が照射される中心の移動を防止することができる。
【００２１】
また、本発明の一実施形態に係る照明装置においては、配光特性が一定となる光学素子は、前記照明装置の光軸上に配置することができる。
【００２２】
このような照明装置により、配光が制御されても光が照射される中心の移動を防止することがより効果的に行うことができる。
【００２３】
また、本発明の一実施形態に係る照明装置においては、配光特性が変化しない光学素子の出射する光の配光角は他の光学素子の出射する配光角の略中間値とすることができる。
【００２４】
このような照明装置により、配光が制御されても光が照射される中心の明るさを略一定とすることができる。
【００２５】
また、本発明の一実施形態に係る照明装置においては、第１光学素子は、前記照明装置の光軸の周囲に配置され、前記第１光学素子の光軸が前記照明装置の光軸と交差することができる。
【００２６】
このような照明装置により、光が照射される中心に集光することが可能となり、効果的な照明を実現できる。
【発明の効果】
【００２７】
本発明に係る照明装置によれば、配光制御ができる角度のバリエーションを従来技術よりも多くしつつ、光学素子の集光の効率を高くすることができる。
【図面の簡単な説明】
【００２８】
【図１】本発明の一実施形態に係る照明装置の側面図と断面図である。
【図２】本発明の一実施形態に係る照明装置の分解斜視図である。
【図３】本発明の一実施形態に係る照明装置の光学素子の上面図及び断面図である。
【図４】本発明の一実施形態に係る照明装置の断面図である。
【図５】配光角度について説明するための図である。
【図６】本発明の一実施形態に係る照明装置の上面図及び断面図である。
【発明を実施するための形態】
【００２９】
以下、本発明を実施するための形態について、実施形態として説明する。なお、本発明は、以下に説明する実施形態に限定されることはなく、種々に変形を行って実施することができる。
【００３０】
（実施形態１）
図１（ａ）は、本発明の実施形態１に係る照明装置の側面図であり、図２は、本実施形態に係る照明装置の分解斜視図である。図１（ａ）を参照すると、照明装置１００は、回転ホルダー１０１と、ヒートシンク１０２と、コネクタ１０３とを有する。
【００３１】
回転ホルダー１０１は、本実施形態では円筒の形状となっている。ただし、本発明においては、直方体、立方体、楕円筒、球、回転体の形状などの任意の立体形状とすることができる。
【００３２】
図２を参照すると、回転ホルダー１０１の内側の下端には突出部２１１が配置され、他の部分よりも径が小さくなっている。この突出部２１１の上には、伸縮手段２１２が配置される。伸縮手段としては、バネ、ゴムなどの伸縮が可能な部材を用いることができる。バネとしては、コイルスプリングを用いることができる。また、別の例としては、ある方向から真横からみると直線形状ではなく、上に凸あるいは下に凸の折れ線あるいは曲線の形状を有している板バネを用いることも可能である。伸縮手段２１２は、伸縮手段２１２を上又は下から力を加えることにより、付勢力を発生させるために用いられる。
【００３３】
回転ホルダー１０１の突出部２１１の上に伸縮手段２１２を配置した後に、回転ホルダー１０１の上端の開口より回転規制部２１３が挿入される。回転規制部２１３は、その下端が突出部２１１の形成する開口の内径より小さくなっており、その上端が突出部２１１の形成する開口の内径より大きく且つ回転ホルダー１０１の上端の開口の内径よりも小さくなっている。これにより、回転規制部２１３の上端の底面２１６が伸縮手段２１２上に配置され、回転ホルダー１０１は回転規制部２０１に対して下方に向けて付勢される。
【００３４】
また、回転ホルダー１０１の内側には突起２２２が配置されてもよい。この突起２２２は、回転規制部２１３の上端に接触する。これにより、回転ホルダー１０１が回転規制部２０１に対して下方に向けて付勢されていても、回転ホルダー１０１と回転規制部２０１とが分離してしまうことを抑制する。また、突起２２２は、回転規制部２１３の上端に形成された切込２２４、２２５及び２２６の内部に受容される形状、大きさ及び位置となっている。これにより、突起２２２が切込２２４、切込２２５又は切込２２６に受容されると、回転ホルダー１０１が回転規制部２１３に対して水平方向に回転することを規制する。また、回転ホルダー１０１を回転規制部２１３に対して水平方向に回転させるためには、回転ホルダー１０１を回転規制部２１３に対して上方に移動させる必要が生ずる。
【００３５】
なお、図２において、切込２２４、切込２２５又は切込２２６は等間隔に配置されている。これは、次に説明する第１光学部２２１に配置される配光レンズが第１光学部２２１の中心に対して等間隔に配置されていることと関係している。第１光学部２２１に配置される配光レンズが第１光学部２２１の中心に対して異なる間隔に配置される場合には、それに応じて切込２２４、切込２２５又は切込２２６が配置される。また、切込の数は、第１光学部２２１による配光角の段階数とすることができる。
【００３６】
回転ホルダー１０１の上部であり、且つ、突起２２２より上方に、第１光学部２２１が嵌め込まれる。また、回転ホルダー１０１と第１光学部２２１とは一体となっている。すなわち、回転ホルダー１０１が水平に回転するに伴い、第１光学部２２１が水平に回転する。また、回転ホルダー１０１が回転規制部２１３に対して上方に移動すると第１光学部２２１も上方に移動する。
【００３７】
図２において、第１光学部２２１は、円形の平らな板の下面に複数の配光レンズが配置されている。配光レンズについては、後に図３などを参照して説明する。
【００３８】
第１光学部２２１の上には第２光学部２３１が配置される。第２光学部２３１は、第１光学部２２１に対して水平方向に自由に回転させることができる。例えば、第２光学部２３１も回転ホルダー１０１に嵌め込まれてもよい。ただし、この場合には、第２光学部２３１は、回転ホルダー１０１に対して相対的に水平方向に回転可能となっている。
【００３９】
図２において、第２光学部２３１は、円形の平らな板となっているが、厳密には平らな板ではなく、透過する光の配光角を増大する配光作用を有していてもよい。第２光学部２３１については、後に図３などを参照して説明する。
【００４０】
なお、図１（ａ）において、基板２０１上には、中央に発光素子２０３が配置され、その周囲に等間隔（すなわち、図１（ａ）においては１８０°の間隔）で発光素子２０２と発光素子２０４が配置されている。中央の発光素子２０３の周囲に配置される発光素子の数は、２に限定されることはなく、３個、４個などの任意の数とすることができる。３個の場合には、中央の発光素子２０３を中心とする正三角形の頂点の位置に発光素子が配置され、４個の場合には、中央の発光素子２０３を中心とする正方形の頂点の位置に発光素子が配置されるのが好ましい。一般的に、中央の発光素子２０３を中心とする正多角形の頂点の位置に発光素子が配置されるのが好ましい。また、必要に応じて、中央の発光素子２０３を中心として、複数の同心円状に発光素子が配置されていてもよい。
【００４１】
図１（ａ）を再び参照する。ヒートシンク１０２は、回転ホルダー１０１の下方に配置される。ヒートシンク１０２内に、図２に示すように発光素子２０２、２０３及び２０４が配置された基板２０１が配置される。このため、ヒートシンク１０２は、発光素子２０２、２０３及び２０４並びに基板２０１に配置される他の素子により発生する熱を発散させる作用を有する。
【００４２】
図１（ｂ）は、図１（ａ）におけるＡ−Ａ断面におけるヒートシンク１０２の断面図を示す。図１（ｂ）に示すように、ヒートシンクは放射状に延びる複数の放熱フィンを有する。なお、図１（ｂ）の中央部分に示される２つの円は、コネクタ１０３に接続される２本の配線の断面を示している。
【００４３】
図１（ａ）を再び参照すると、ヒートシンクの下にコネクタ１０３が配置される。コネクタ１０３は、電源を照明装置１００に供給するために、コンセントなどに接続可能な形状となっている。図１（ａ）においては、コネクタ１０３は２本の棒状の電極を有し、この２本の電極がコンセントと直接接続される。なお、コネクタ１０３は、コンセントに接続するためのものに限定されず、例えば、白熱電球の口金のように螺旋形状を有していてもよく、ソケットに装着することができてもよい。
【００４４】
図３（ａ）は第１光学部２２１の上面図を示す。第１光学部２２１の下面に配置される配光レンズ３１１−３１５が見える。第１光学部の中央に１個の配光レンズ３１５が配置され、その周囲に６個の配光レンズ３１１−３１３が配置される。図３（ａ）においては、周囲に配置される配光レンズ３１１−３１３は、等間隔に配置されているが、これに限定されることはない。また、配光レンズ３１５の周囲に配置される配光レンズの数は基板２０１に配置される発光素子のうち、中央以外に配置される発光素子の倍数となっていることが好ましい。図２及び図３（ａ）においては、基板２０１に配置される発光素子のうち、中央以外に配置される発光素子の数は２であり、配光レンズ３１５の周囲に配置される配光レンズ３１１−３１３の数は６であり、３倍となっている。なお、本実施形態では、配光レンズ３１１−３１５は、配光レンズ３１５を挟んで対向して配置される２つの配光レンズが組となり、同じ配光制御を行う。ただし、他の実施形態においては、これに限定されることはない。
【００４５】
配光レンズ３０５は、第１光学部２２１の中央に配置されているので、第１光学部２２１が回転ホルダー１０１の回転に伴って回転する場合の回転中心に位置し、常に発光素子２０３の上に位置することとなる。
【００４６】
一方、配光レンズ３０５の周囲に配置される配光レンズ３１１−３１３は、第１光学部２２１が回転すると、発光素子２０２及び２０４の上を移動する。すなわち、配光レンズ３１１−３１３は上方からみると円形に配置されているが、その円形の中心が中央の配光レンズ３０５の中心から離れている距離は、発光素子２０３と発光素子２０２との距離及び発光素子２０３と発光素子２０４との距離と等しい。また、配光レンズ３１１−３１３を等間隔に配置することにより、配光レンズ３１１−３１３のうち、中央の発光素子２０３の周囲に配置される発光素子の数の配光レンズを発光素子の上に位置させることが可能となる。
【００４７】
図３（ｂ）は、図３（ａ）のＩ−Ｉ断面線における第１光学部２２１と基板２０１との断面図を示す。図３（ｂ）に示すように、各配光レンズは、全体形状が略円錐形あるいは釣鐘を逆さにした形状となっており、円錐の頂点部分あるいは釣鐘を釣り下げる部分が凹状に凹んでいる。凹状に凹んでいる部分が受光部３２１、３２２及び３２３を形成している。受光部３２１、３２２及び３２３は凹状に凹んでいるので、第１光学部２２１を回転ホルダー１０１とともに下降させると、受光部３２１、３２２及び３２３それぞれは、発光素子２０２、２０３及び２０４を覆うことになる。このため、発光素子２０２、２０３及び２０４が出射する光の大部分あるいはほとんどを配光レンズに入射させることができる。また、発光素子２０２、２０３及び２０４が出射する光のうち、一部のななめ横方向に進む光は、配光レンズの側面で反射され、配光レンズの上方に進むように進路が変更される。これにより、発光素子２０２、２０３及び２０４が出射する光の配光角が大きく（例えば１２０°）ても、配光レンズから出射する光の配光角は小さくなる。
【００４８】
なお、配光角は、光の強度（照度）が最大値の半分以上になる角度をいう。すなわち、図５に示すように、発光装置の正面（０°）において、照度が最大値ａとなり、正面方向からの角度が大きくなるにしたがって、照度が小さくなる場合に、照度がａ／２以上になる角度である−ｒからｒまでの２ｒとして配光角が定義される。
【００４９】
なお、配光レンズ３１１、３１２及び３１３を発光素子２０２及び２０４の上に配置した場合における配光レンズ３１１、３１２及び３１３から出射する光の配光角は異なるのが好ましい。このため、例えば、配光レンズ３１１、３１２及び３１３が第１光学部２２１の下面に接する径がそれぞれ異なったり、側面の形状がそれぞれ異なっていたりするのが好ましい。これにより、第１光学部２２１を回転させることにより、第１光学部２２１から出射する光の配光角を３段階に変化させることができる。
【００５０】
図３（ｃ）は、第２光学部２３１の上面図を示す。図３（ｃ）に示すように、第２光学部２３１には、中央に光学素子３０５が配置され、その周囲に６個の光学素子３０１−３０３が配置されている。図２に示すように第１光学部２２１の上に第２光学部２３１を配置した場合に、光学素子３０５が配光レンズ３１５の上に配置され、光学素子３０１−３０３が配光レンズ３１１−３１３と重なることができるように、配光レンズ３１１−３１３と同数が配置されている。
【００５１】
光学素子３０１−３０３及び３０５は、配光レンズ３１１−３１３及び３１５とは逆に、入射する光の配光角を同じか大きくして出射する機能を有する。例えば、光学素子３０５は、平面形状であり、入射する光の配光角を保ったまま出射する。また、光学素子３０１には凹凸形状によるレンズが多数形成され、入射する光の配光角を大きくして出射する。これにより、第１光学部２２１と第２光学部２３１を近接して配置することができ、照明装置１００の大きさ（例えば基板２０１から第２光学部２３１までの距離）を小さくすることができる。
【００５２】
また、光学素子３０５を挟んで対向して配置される２つの光学素子が組となり、同じ配光制御を行い、同じ配光角の光を入射させた場合に、光学素子３０１、３０２及び３０３それぞれから出射する光の配光角はそれぞれ異なるのが好ましい。これにより、第１光学部２２１と第２光学部２３１とを相対的に回転させることにより、照明装置１００から出射する光の配光角を９段階に変化させることができる。
【００５３】
なお、基板２０１の中央に配置される発光素子２０３の周囲に３つの発光素子を配置することにより、第１光学部２２１と第２光学部２３１とによりそれぞれ２段階の配光角が選択できるので、照明装置１００から出射する光の配光角を４段階に変化させることができる。基板２０１の中央に配置される発光素子２０３の周囲に３つ以上の発光素子を配置することにより、照明装置１００から出射する光が照射される範囲を円形に近づけることができる。
【００５４】
なお、第１光学部２２１の中央に配置される配光レンズ３１５を通過し、光学素子３０５から出射する光の配光角は、他の光学素子から出射する光の配光角の最小値と最大値との間の大きさとなっているのが好ましい。これにより、照明装置１００から出射する光の配光角が様々に変化しても、照明装置１００の正面における照度をほぼ一定以上にすることができる。
【００５５】
また、図３（ｂ）において、配光レンズ３１３は配光レンズ３１５と平行に配置され、また、形状が左右対称に形成されているが、これに限定されることはない。例えば、配光レンズ３１３から出射される光の２分の１以上が照明装置１００の正面の中心部に多く向かうように配光レンズ３１３が「八」字型になるように斜めに配置されていてもよい。
【００５６】
図４は、照明装置１００が通常使用される状態での全体の縦方向の断面図を示す。図４に示すように、回転規制部２１３がヒートシンク１０２に固定される。これにより、伸縮手段２１２により、回転ホルダー１０１がヒートシンク１０２側に付勢される。これにより、配光レンズ３１１−３１３の受光部３２１−３２３が発光素子２０２−２０４を覆うようになる。また、この状態のとき、突起２２２は、切込２２４、２２５又は２２６のいずれかに受容されるようにすることができる。これにより、配光レンズ３１１−３１３のうち、中央の発光素子２０３の周囲に配置される発光素子の数の配光レンズを発光素子の上に位置させた状態で第１光学部２２１を固定することができる。
【００５７】
照明装置１００の配光角を変化させる場合には、伸縮手段２１２の付勢力とは逆方向の力を加えて回転ホルダー１０１を上方に移動させる。すると、配光レンズの受光部と発光素子との間に距離が生じ、配光レンズ３１１−３１３の受光部が発光素子を覆わなくなる。すなわち、配光レンズ３１１−３１３が発光素子２０２−２０３と干渉しない状態となる。また、突起２２２が切込２２４、２２５又は２２６から受容されなくなる。このため、回転ホルダー１０１は自由に回転可能となり、配光角の選択が可能となる。選択が終われば、伸縮手段２１２の付勢力に従って回転ホルダー１０１を下方に移動させる。このとき、突起２２２が切込２２４、２２５又は２２６に受容されると、回転ホルダー１０１の回転が規制され、第１光学部２２１を固定することができる。
【００５８】
（実施形態２）
実施形態１においては、第１光学部２２１及び第２光学部２３１が回転して、照明装置１００の配光角が制御される。しかし、本発明において、第１光学部２２１及び第２光学部２３１を可動とすることは回転可能とすることに限定されない。例えば、第１光学部２２１及び第２光学部２３１に相当する２つの光学部が上下左右にスライドして移動することにより配光角を制御することができる。
【００５９】
図６は、本実施形態に係る照明装置６００の上面図とＩＩ−ＩＩ断面図とを示す。図６に示すように、４つの支柱６０１−６０４が方形を形成するように配置される。発光素子６３２及び６３３が配置された基板６３１の上に第１スライド６０６が支柱６０１−６０４に支持され、その上に第２スライド６０５が支持される。第１スライド６０６は、図６に対して上下方向にスライドさせることが可能であり、第２スライド６０５は図６に対して左右方向にスライドさせることが可能である。
【００６０】
第１スライド６０６には、図６においては８個の配光レンズ６２１−６２８が２列に配置されている。第１スライド６０６を上下にスライドさせることにより、配光角を制御することができる。
【００６１】
同様に、第２スライド６０５にも、図６においては８個の光学素子６１１−６１８が２列に配置されている。また、支柱６０１−６０４で囲まれた範囲において、第１スライド６０６の配光レンズと第２スライド６０５の光学素子が重なるようになっている。これにより、実施形態１と同様に、数段階の配光角から選択することができる。
【００６２】
図６では、配光レンズの図示を省略しているが、支柱６０１−６０４が図示していないコイルバネなどの付勢手段により配光レンズの受光部が発光素子６３２及び６３３を覆うようになっている。第１スライド６０６をスライドさせるときには、支柱６０１−６０４を移動させて、実施形態１と同じく、配光レンズの受光部と発光素子６３２及び６３３との間に距離を設け、配光レンズの受光部が発光素子６３２及び６３３を覆わない状態とする。
【００６３】
（実施形態３）
なお、実施形態１において、第１光学部２２１が回転できるようにする必要はない。例えば、配光レンズ３１１−３１３全ての受光部の下に発光素子が配置されるようになっており、電源が供給される発光素子を選択できるようにすることにより、第１光学部２２１から出射される光の配光角が制御できるようになっていてもよい。
【符号の説明】
【００６４】
１０１  回転ホルダー、１０２  ヒートシンク、１０３  コネクタ、２０１  基板、２０２  発光素子、２０３  発光素子、２０４  発光素子、２１１  突出部、２２２  突起、２１２  伸縮手段、２１３  回転規制部、２２１  第１光学部、２３１  第２光学部
【図１】
2014110177.tif 000003
【図２】
2014110177.tif 000004
【図３】
2014110177.tif 000005
【図４】
2014110177.tif 000006
【図５】
2014110177.tif 000007
【図６】
2014110177.tif 000008